(57)【特許請求の範囲】
【請求項１】
第１のフィルムを供給する第１の供給リールと、
同第１の供給リールから供給された第１のフィルムの表面に薬剤を塗布する薬剤塗布部と、
上記第１のフィルムを通過させることにより同フィルムの薬剤を乾燥する乾燥経路と、
第２のフィルムを供給する第２の供給リールと、
上記第２の供給リールから供給された第２のフィルムを上記乾燥経路を通過してきた上記第１のフィルムの薬剤塗布面に圧着して張り合わせフィルムを形成する圧着ロール部と、
同ロール部を出た上記貼り合わせフィルムを巻き取る巻き取りリールとを有し、
上記薬剤塗布部から上記圧着ロール部に至る上記乾燥経路を内向き渦巻き状の周回経路とし、
上記乾燥経路に沿って複数の案内ロールを所定間隔を以って設け、同案内ロールにより上記第１のフィルムの裏面を案内するものであり、
上記周回経路の終端部に上記圧着ロール部を設けたことを特徴とする経皮吸収治療用製剤の連続製造装置。
【請求項２】
上記第２の供給リールに隣接して第３のリールを設け、上記第２の供給リールに上記貼り合わせフィルムを取り付けて同フィルムから剥ぎ取った一方のフィルムのみを上記第３のリールで巻き取り可能とし、
上記貼り合わせフィルムの薬剤の塗布された他方のフィルムを上記圧着ロール部に供給し、上記他方のフィルムの薬剤塗布面と上記第１のフィルムの薬剤塗布面を上記圧着ロール部で圧着することにより多層膜の貼り合わせフィルムを製造するものであることを特徴とする請求項１記載の経皮吸収治療用製剤の連続製造装置。
【請求項３】
上記薬剤塗布部は、薬剤の供給される薬剤受皿と、同皿内に下部が位置するように設けられた薬剤塗布ロールと、同薬剤塗布ロールに近接配置され同ロールとの間隙を調整可能に設けられた膜厚調整ロールと、上記第１のフィルムを上記薬剤塗布ロールに圧着する圧着ロールにより構成し、
上記薬剤塗布ロールの回転により上記間隙を通過した薬剤を上記薬剤塗布ロールと圧着ロールとの間を通過する上記第１のフィルムの表面に塗布するものであることを特徴とする請求項１又は２に記載の経皮吸収治療用製剤の連続製造装置。
【請求項４】
上記薬剤塗布部は、上記受皿の内部に一対の仕切板を設けて同仕切板間に薬剤投入部を構成し、上記仕切板を左右方向に摺動自在としたものであることを特徴とする請求項３記載の経皮吸収治療用製剤の連続製造装置。
【請求項５】
乾燥経路を通過した後の上記第１のフィルムの裏面に対向してカッターを着脱自在に設け、走行中の第１のフィルムを上記カッターにより走行方向に沿って切断するものであることを特徴とする請求項１〜４の何れかに記載の経皮吸収治療用製剤の連続製造装置。
【請求項６】
上記第２の供給リールと上記巻き取りリールの間に上記貼り合わせフィルムを所定の大きさに刳り貫く裁断刃を設けたものであることを特徴とする請求項１〜５の何れかに記載の経皮吸収治療用製剤の連続製造装置。
【発明の詳細な説明】
【０００１】
【発明の属する技術分野】
本発明は、研究用並びに教育用、実験等に供される経皮吸収治療用製剤の連続製造装置に関するものである。
【０００２】
【従来の技術】
経皮吸収治療用製剤は、バッキング膜の片面に経皮治療用の薬剤を塗布することにより形成され、薬剤塗布層を患部等に貼付することにより貼り製剤として使用されるものであるが、このような製剤は、例えば薬剤の塗布層を多層構造とすることにより薬効を時間制御することができること等から、人体用、植物用等の各種の用途が考えられている。
このような製剤の薬効等については、従来より薬科大学や企業の研究室や研究所において各種の研究、実習等が行われているが、その際、研究、実習用に供される経皮吸収治療用製剤はその都度手作りで作成するか、個々の研究室において特定の製剤毎に専用の製造装置の開発を行う必要があった。
【０００３】
【発明が解決しようとする課題】
ところで、上述ような手作りの経皮治療用製剤は、一定品質のものを複数作成することが難しく、品質保証も困難であり一般に再現性が悪く、薬効等の臨床試験、研究に供するには不適であった。
また従来の機械による製造では、長い乾燥工程が必要であるが、乾燥時間は塗布する薬剤の種類等により異なるため、乾燥時間が短い場合は乾燥工程を停止させ乾燥終了を待つ必要があり、製造工程の連続性が無く、品質が一定しないという問題もあった。
【０００４】
そこで、研究用の経皮吸収治療用製剤を一定品質で製造することのできる汎用的な製造装置が望まれていた。
本発明は上記従来の課題に鑑みてなされたものであり、研究用等に供される経皮吸収治療用製剤を連続的に製造することができ、単層から多層膜まで各種の製剤を製造可能な小型軽量の経皮吸収治療用製剤の連続製造装置を提供することを目的とする。
【０００５】
【課題を解決するための手段】
本発明は上記課題を解決するために、
第１に、第１のフィルムを供給する第１の供給リールと、同第１の供給リールから供給された第１のフィルムの表面に薬剤を塗布する薬剤塗布部と、上記第１のフィルムを通過させることにより同フィルムの薬剤を乾燥する乾燥経路と、第２のフィルムを供給する第２の供給リールと、上記第２の供給リールから供給された第２のフィルムを上記乾燥経路を通過してきた上記第１のフィルムの薬剤塗布面に圧着して貼り合わせフィルムを形成する圧着ロール部と、同ロール部を出た上記貼り合わせフィルムを巻き取る巻き取りリールとを有し、上記薬剤塗布部から上記圧着ロール部に至る上記乾燥経路を周回経路とし、同周回経路の終端部に上記圧着ロール部を設けたことを特徴とする経皮吸収治療用製剤の連続製造装置により構成されるものである。
第２の供給リールに例えば経皮吸収治療用製剤のバッキング膜のロールを第２のフィルムとして取り付け、その先端部を圧着ロール部を介して巻き取りリールに巻き付けてその先端を貼り付ける。一方、第１の供給リールに例えば経皮吸収治療用製剤のリリースライナーロールを第１のフィルムとして供給し、同ライナー先端部を薬剤塗布部、乾燥経路、圧着ロール部を介して巻き取りリールに巻き付け貼り付ける。その後上記第１の供給リール、第２の供給リール、及び巻き取りリールを所定方向に回転して、両フィルムの上記巻き取りリールへの巻き取りを開始する。上記リリースライナーは、薬剤塗布部によりその表面に薬剤が塗布され、薬剤の塗布されたリリースライナーが乾燥経路に導かれ、同ライナーは周回経路に沿って走行し、塗布層の乾燥が行われる。リリースライナーには上記乾燥経路の終端部の圧着ロール部において同ライナーの薬剤塗布面側に第２の供給リールから供給されるバッキング膜が圧着し、リリースライナー、薬剤塗布層及びバッキング膜からなる貼り合わせフィルムが形成され、その状態で巻き取りリールに巻き取られる。上記乾燥経路は周回経路を構成し、その終端部に圧着ロール部を設けているので、乾燥経路が長い場合でも装置全体をコンパクトに構成することができる。また、巻き取りリール等の回転速度を変化させることにより乾燥時間を制御することができる。
第２に、上記第２の供給リールに隣接して第３のリールを設け、上記第２の供給リールに上記貼り合わせフィルムを取り付けて同フィルムから剥ぎ取った一方のフィルムのみを上記第３のリールで巻き取り可能とし、上記貼り合わせフィルムの薬剤の塗布された他方のフィルムを上記圧着ロール部に供給し、上記他方のフィルムの薬剤塗布面と上記第１のフィルムの薬剤塗布面を上記圧着ロール部で圧着することにより多層膜の貼り合わせフィルムを製造するものであることを特徴とする上記第１記載の経皮吸収治療用製剤の連続製造装置により構成されるものである。
巻き取りリールに巻き取られた貼り合わせフィルム（リリースライナー、薬剤塗布層及びバッキング膜により形成されるフィルム）の第２の供給リールへの巻き替えを行い、巻き替え後の貼り合わせフィルムのリリースライナー（一方のフィルム）のみを剥ぎ取り、その先端を第３のリールに貼り付けて巻き取り可能とし、上記貼り合わせフィルムの薬剤の塗布されたバッキング膜（他方のフィルム）を上記圧着ロール部を介してその先端を巻き取りリールに貼付ける。一方、第１のフィルムは、上記薬剤塗布部、乾燥経路から上記圧着ロール部を通過させた後、その先端部を上記巻き取りリールに貼り付ける。その後、上記第１の供給リール、第２の供給リール、巻き取りリール、及び第３のリールを所定方向に回転して、上記リリースライナー（一方のフィルム）の上記第３のリールへの巻き取り（剥ぎ取り）を行いながら、第１のフィルムと上記バッキング膜（他方のフィルム）の上記巻き取りリールへの巻き取りを行う。これにより、バッキング膜の薬剤の塗布面と第１のフィルムの薬剤の塗布面が上記圧着ロール部により圧着され、多層膜の貼り合わせフィルムとして巻き取りリールに巻き取られる。これにより、多層膜の経皮吸収治療用製剤を製造することができる。
第３に、上記乾燥経路に沿って複数の案内ロールを所定間隔を以って設け、同案内ロールにより上記第１のフィルムの裏面を案内するものであることを特徴とする上記第１又は２に記載の経皮吸収治療用製剤の連続製造装置により構成される。
乾燥経路の第１のフィルムは、同経路に沿って設けられた複数の案内ロールにその裏面を案内されながら走行する。従って、案内ロールへの薬剤の付着を防止することができ、また、案内ロールへの第１のフィルムの架け渡しを行う際、乾燥経路に沿ういくつかの案内ロールへの架け渡しを省略してバイパスすることにより乾燥経路の長さを変化させることが可能となり、例えば案内ロール全体を使用して第１のフィルムを通過させた場合の乾燥経路と比較して、より短い乾燥経路を容易に構成することができる。
第４に、上記薬剤塗布部は、薬剤の供給される薬剤受皿と、同皿内に下部が位置するように設けられた薬剤塗布ロールと、同薬剤塗布ロールに近接配置され同ロールとの間隙を調整可能に設けられた膜厚調整ロールと、上記第１のフィルムを上記薬剤塗布ロールに圧着する圧着ロールにより構成し、上記薬剤塗布ロールの回転により上記間隙を通過した薬剤を上記薬剤塗布ロールと圧着ロールとの間を通過する上記第１のフィルムの表面に塗布するものであることを特徴とする上記第１又は２又は３に記載の経皮吸収治療用製剤の連続製造装置により構成されるものである。
薬剤塗布部において薬剤塗布ロール及び圧着ロールを回転すると、薬剤受皿内の薬剤が上記塗布ロールの回転に伴って同ロール表面に供給され、膜厚調整ロールと上記塗布ロールとの間隙により膜厚が決定され、かかる間隙を通過した所定厚の薬剤が第１のフィルムに塗布される。従って、上記間隙を調整することにより薬剤の膜厚を高精度にコントロールすることができる。
第５に、上記薬剤塗布部は、上記受皿の内部に一対の仕切板を設けて同仕切板間に薬剤投入部を構成し、上記仕切板を左右方向に摺動自在としたものであることを特徴とする上記第４記載の経皮吸収治療用製剤の連続製造装置により構成されるものである。
薬剤は薬剤受皿において一対の仕切板により構成される薬剤投入部内に投入される。この場合、仕切板を左右方向に摺動させることにより第１のフィルムへの薬剤の塗布幅を任意に決定することができ、また極めて少量の薬剤にも対応することが可能である。
第６に、乾燥経路を通過した後の上記第１のフィルムの裏面に対向してカッターを着脱自在に設け、走行中の第１のフィルムを上記カッターにより走行方向に沿って切断するものであることを特徴とする上記第１〜５の何れかに記載の経皮吸収治療用製剤の連続製造装置により構成されるものである。
上記乾燥経路を通過した第１のフィルムとしてのリリースライナーは、薬剤の塗布されていない裏面に設置されたカッターにより走行経路に沿って切り込みが入れられ切断される。かかる切り込みは、貼り合わせフィルム裁断後の経皮吸収用の貼り製剤を使用する場合、第１のフィルムのみを剥ぎ取って塗布層を露出する際の基準線となる。
第７に、上記第２の供給リールと上記巻き取りリールの間に上記貼り合わせフィルムを所定の大きさに刳り貫く裁断刃を設けたものであることを特徴とする上記第１〜６の何れかに記載の経皮吸収治療用製剤の連続製造装置により構成されるものである。
切断刃を往復駆動することにより、走行中の貼り合わせフィルムの表面を順次刳り貫き、連続して経皮吸収治療用の貼り製剤を製造することができる。
【０００６】
【発明の実施の形態】
以下、図１乃至図９に基づいて本発明の一実施の形態を詳細に説明する。
図１は、本発明の経皮吸収治療用製剤の連続製造装置の側面断面図であり、かかる図において、１は装置本体であり、前面側の機枠１ａにリリースライナーロール２を支持する供給リール３（第１の供給リール）が軸支されている。上記リール３からは第１のフィルムとしてのリリースライナーＲが矢印ｇ方向に引き出される。
【０００７】
４は上記供給リール３に引き続いて上記本体１の前面側上部に設けられた薬剤塗布部であり、同本体１に固設さた一対の支持板５と、同支持板５下部に固設され薬液Ｄの入った薬剤受皿６と、同受皿６内に下部が位置することにより同下部が薬液Ｄに接するように上記支持板５に軸支され、モータにより矢印ａ方向に回転駆動される薬剤塗布ロール７と、同塗布ロール７の上方位置において上記支持板５に軸支されると共に上下方向（矢印ｃ，ｄ方向）に摺動することにより薬液Ｄの塗布膜厚ｔを調整し得る膜厚調整ロール８と、上記リリースライナーＲを上記塗布ロール７に圧着し、モータにより矢印ａ方向に回転駆動される圧着回動ロール９により構成されている。
上記圧着回動ロール９は、本体上面に軸支１０ａされバネにより矢印ｈ方向に付勢された回動板１０の先端部に軸支されており、上記供給リール３から案内軸２２ａ，２２ｂを介して供給されるリリースライナーＲを上記塗布ロール７に圧着するものである。この回動ロール９は、上記矢印ａ方向に回転駆動されることにより、上記リリースライナーＲを矢印ｇ方向に送り出し、このとき上記薬剤塗布ロール７の表面から上記間隙ｔを通過してきた薬液Ｄが同ライナーＲの表面に塗布される構成となっている。尚、上記バネの付勢力はスイッチにより解除することが可能である。
【０００８】
上記薬剤受皿６は、図４，５に示すように同受皿６内を所定幅に仕切る一対の仕切板６ａ、６ｂを備えており、同仕切板６ａ，６ｂはその前端部を上記受皿６の前方突出部６’に設けられた左右方向スリットＳに螺子２８，２８止めされ、同仕切板６ａ，６ｂ間に薬剤投入部６ｃが形成されている。かかる仕切板６ａ，６ｂは、上記螺子を緩めて上記スリットＳに沿って左右方向（矢印ｍ，ｎ方向）に摺動させることにより上記薬剤投入部６ｃの幅を調整することができるようになっており、これにより上記リリースライナーＲへの薬液Ｄの塗布幅Ｔ、及び薬剤投入部６ｃの大きさを任意に調整可能となっている。
【０００９】
１１ａ乃至１１ｉは案内ロールであり、上記薬剤塗布部４から上記本体１内中央部に設けられたフィルム貼り合わせ部１２に至るまでの間に、同貼り合わせ部１２を略２周するように所定間隔おきに渦巻き状に配置されている。上記薬剤塗布部４で薬液の塗布されたリリースライナーＲはその薬液の塗布されていない面を上記各案内ロール１１ａ乃至１１ｉにより案内されながら、上記貼り合わせ部１２の外周を内向き渦巻き状に略２周した後、上記張り合わせ部１２の入り口１２ａに至る構成となっている。かかる渦巻き状の周回経路は本体１の内壁１ａと上記貼り合わせ部１２の外壁１２ｂにより囲まれた乾燥経路１３を構成しており、上記ライナーＲに塗布された薬剤はかかる経路を周回中に上記内壁１ａに設けられたヒータ１４，１４により乾燥される。また、薬剤の種類によって乾燥時間が異なるので、例えばリリースライナーＲを案内ロール１１ｂから直接案内ロール１１ｇに架け渡すことにより、案内ロール１１ｃから１１ｆまでの経路を省略して、乾燥経路を短くすることができる。尚、１５は上記本体１側面に設けられた排気口である。
【００１０】
上記貼り合わせ部１２において、１６はモータにより矢印ａ方向に回転駆動される送りロール、１７は圧着回動ロールであり、同回動ロール１７は本体１に軸支１８ａされた回動板１８の先端部に軸支され、同回動板がバネにより矢印ｉ方向に付勢されることで上記送りロール１６側に付勢されるようになっている。また上記バネの付勢力は上記圧着回動ロール９と同様にスイッチにより解除することが可能である。尚、本実施の形態では上記圧着回動ロール１７及び送りロール１６により圧着ロール部が構成されている。
１９は、上記貼り合わせ部１２の入り口１２ａ直後に着脱自在に設けられたカッターであり、図２に示すようにリリースライナーＲの裏面２カ所に対応する位置に所定間隔を以って刃１９ａ，１９ｂが設けられており、リリースライナーＲ裏面側から切り込みＣ１，Ｃ２を入れて、同ライナーＲを３つに切断するものである。尚、切り込みを入れる必要のない場合は、上記カッター１９は取り外すことが可能である。
【００１１】
２０は、バッキング膜Ｂの供給リール（第２の供給リール）であり、フィルム貼り合わせ時は巻き取りリール２１の回転駆動により矢印ｂ方向に回転してバッキング膜Ｂを矢印ｊ方向に送り出すものである。送り出されたバッキング膜Ｂは上記送りロール１６により矢印ｇ方向に移送されるリリースライナーＲの薬剤塗布面側に圧着され、同ライナーＲと貼り合わされてリリースライナーＲ、薬剤塗布層及びバッキング膜Ｂからなる貼り合わせフィルムＦ（図６（ｂ）参照）を形成するようになっている。尚、上記供給リール２０は後述する貼り合わせフィルムの巻替え時にはモータにより矢印ａ方向に回転駆動される。
２１は巻き取りリールであり、モータにより矢印ｂ方向に回転駆動され、貼り合わせ後の上記フィルムＦを案内軸２２ｃ，２２ｄを介して巻き取るものである。
【００１２】
２３は裁断部であり、図３に示すように先端部に２つの略正方形状のトムソン刃２４ａ，２４ｂを備えた裁断刃２４及び同裁断刃２４を前後方向（矢印ｅ，ｆ方向）に駆動する駆動部２５からなり、上記各刃２４ａ，２４ｂが矢印ｆ方向に移動したときに上記案内軸２２ｃ，２２ｄ間を通過するフィルムＦをその切り込みＣ１，Ｃ２を中心として略正方形状に刳り貫きカットし、一度に２つの経皮吸収用の貼り製剤２９，２９’を製造するものである。カットされた製剤２９，２９’は上記裁断部２３下方に設けられた受け皿２６に受け止められる。
２７はモータにより矢印ａ方向に回転駆動される剥ぎ取り用のリール（第３のリール）であり、薬剤層が多層構造の経皮吸収用製剤を作成するときに、供給リール２０に巻き替え後の貼り合わせフィルムＦを取り付けた状態において、同フィルムＦのリリースライナーＲのみを矢印ａ方向に回転することにより剥ぎ取るものである（図８，９参照）。
【００１３】
本発明は上述のように構成されるものであり、次に本装置の動作を説明する。
（１）単層膜の経皮吸収治療用製剤の製造（図６参照）
まず、装置の電源をオンし、乾燥機のヒータ１４をオンする。その後、圧着回動リール９及び１７のバネをオフしてフリー状態とし、リール３にリリースライナーＲのロール２を取り付け、さらに巻き取りリール２１に巻き取り用の芯を、リール２０にバッキング膜Ｂのロール（合わせフィルムロール）を取り付ける。そして、バッキング膜Ｂを圧着回動ロール１７、案内軸２２ｃ，２２ｄを介して巻き取りリール２１の芯に巻き付けてその先端をテープ等で貼り付け、供給リール３からリリースライナーＲを引き出し、薬剤塗布ロール７、案内ロール１１ａ乃至１１ｉ、送りロール１６、案内軸２２ｃ、２２ｄを介して巻き取りリール２１の芯に巻き付け、同じく先端をテープ等で貼り付ける。その後は、圧着回動ロール９及び１７のバネをオンする。これにより、各バネの付勢力により薬剤塗布部４においてリリースライナーＲが薬剤塗布ロール７に圧着され、フィルム貼り合わせ部１２においてリリースライナーＲ及びバッキング膜Ｂが送りロール１６に圧着される。このとき、巻き取りリール２１を１、２周程度矢印ｂ方向に回して同リール２１にフィルムを少し巻き付けておく。
【００１４】
次に、薬剤受皿６の仕切板６ａ，６ｂを所定の幅に固定し、薬剤投入部６ｃ内に薬液Ｄを投入し、各モータの連動スイッチをオンすると、薬剤塗布ロール７が矢印ａ方向に、圧着回動ロール９が矢印ａ方向に、案内ロール１６が矢印ａ方向に、巻き取りリール２１が矢印ｂ方向に回転駆動される。すると、薬剤受皿６内の薬液Ｄは上記塗布ロール表面を圧着回動ロール９方向に送られるが、このとき仕切板６ａ，６ｂの幅で塗布層の幅Ｔが決定され、塗布厚調整ロール８と上記塗布ロール７との間隙ｔにより薬剤の塗布膜の厚さが決定される。このとき、薬剤投入部６ｃの範囲を上記仕切板６ａ，６ｂにより調整可能であるため、例えば薬液が極めて少量であっても何ら支障無く薬液Ｄの供給を行うことができる。
上記リリースライナーＲは、上記リールの回転駆動により、矢印ｇ方向に走行し、上記薬剤塗布ロール７と圧着回動ロール９との間を通過するときに薬液Ｄを表面に塗布され、塗布層Ｄ１を外向きにした状態で案内ロール１１ａ，１１ｂを経て乾燥経路１３に移行する。
【００１５】
上記リリースライナーＲは案内ロール１１ｂ乃至１１ｉに案内されることにより、フィルム貼り合わせ部１２の周囲の乾燥経路１３を約２回周回し、この間ヒータ１４により表面に塗布された塗布層Ｄ１の乾燥が行われる。尚、リリースライナーＲを案内ロール１１ｂから案内ロール１１ｇに架け渡すことにより乾燥経路１３を短縮することができる。また、リール２１等の回転速度を制御することにより、乾燥速度を調整することができる。
上記リリースライナーＲは案内ロール１１ｉを出たところで上記貼り合わせ部１２の入り口１２ａに至り、カッター１９の刃１９ａ，１９ｂにより図２に示す２カ所の切り込みＣ１，Ｃ２が入れられる。その後、上記ライナーＲの薬剤塗布面には、バッキング膜供給リール２０から供給されるバッキング膜Ｂが、圧着回動ロール１７の付勢力により圧着し、第６図（ｂ）に示すようなリリースライナーＲ、塗布層Ｄ１及びバッキング膜Ｂからなる単層膜の貼り合わせフィルムＦが形成される。該フィルムＦは案内軸２２ｃ，２２ｄを介して巻き取りリール２１により巻き取られていく。以上の工程により単層膜の貼り合わせフィルムＦを製造することができる。尚、上記実施の形態では貼り合わせ前にリリースライナーＲの切り込みを入れたが、フィルムＦの貼り合わせ後に切り込みを入れることも可能である。
【００１６】
（２）多層膜の経皮吸収治療用製剤の製造
（ａ）巻替え（図７参照）
次に、多層膜のフィルムＦを製造する場合は、まずカッター１９を取り外し、上記（１）と同じ工程で単層膜の貼り合わせフィルムＦを巻き取りリール２１に巻き取ることにより、切り込みＣ１，Ｃ２の無い貼り合わせフィルムＦ（図６（ｂ））を製造する。上記巻き取りリール２１でフィルムＦの巻き取りが終了すると、同リール２１の手前でフィルムＦを切断し、そのフィルムＦの後端をバッキング膜供給リール２０の芯に巻き付け、同後端をテープ等で貼り付ける（図７参照）。
その後、図７に示すように、巻替えスイッチをオンすることでバッキング膜供給リール２０を矢印ａ方向に回転駆動し、上記フィルムＦを上記供給リール２０に巻き取って行き、全部の巻替えが終わったところで巻替えスイッチをオフして、供給リール２０の駆動を停止する。
【００１７】
（ｂ）多層膜の製剤の製造（図８、図９参照）
巻替え終了後、剥ぎ取りリール２７に巻き取り用の芯を取り付け、供給リール２０に巻き取った貼り合わせフィルムＦのリリースライナーＲのみを剥ぎ取り、その先端を剥ぎ取りリール２７の芯に貼り付け、塗布層Ｄ１を有するバッキング膜Ｂを圧着回動リール１７、案内軸２２ｃ，２２ｄを介して巻き取りリール２１に巻き付け先端を貼り付ける（図８参照）。
一方、薬剤塗布部４で薬剤を塗布され（塗布層Ｄ２とする）、乾燥経路１３を通過してきたリリースライナーＲ’を、案内ロール１６及び案内軸２２ｃ，２２ｄを通して、その先端を巻き取りリール２１の芯に貼り付ける。
【００１８】
この状態で、連動スイッチをオンすると、薬剤塗布ロール７が矢印ａ方向に、圧着回動ロール９が矢印ａ方向に、送りロール１６が矢印ａ方向に、巻き取りリール２１が矢印ｂ方向に、剥ぎ取りリール２７が矢印ａ方向に回転駆動される（図８（ａ）参照）。これにより、リリースライナーＲ’の塗布層Ｄ２の塗布面に上記供給ロール２０から供給されたバッキング膜Ｂの薬剤塗布面（塗布層Ｄ１）が圧着し、図８（ｂ）に示すように塗布層Ｄ１，Ｄ２の２層膜のフィルムＦを製造することができる。
さらに３層膜のフィルムを作成する場合は、上記の手順で作成した２層膜（Ｄ１，Ｄ２）のフィルムを上記（２）（ａ）の手順でバッキング膜供給リール２０に巻替えを行い、その後は、図９に示すように上記と同様に各ロールを回転駆動すると、２層膜のフィルムＦのリリースライナーＲ’のみを剥ぎ取りリール２７で剥ぎ取りながら、乾燥経路１３を通過してきたリリースライナーＲ”の薬剤塗布面（塗布層Ｄ３とする）に上記供給リール２０から供給されたバッキング膜Ｂの塗布層Ｄ２が圧着され、図９（ｂ）に示すように塗布層Ｄ１，Ｄ２，Ｄ３の３層膜の貼り合わせフィルムＦを作成することができる。
【００１９】
多層膜のフィルムを製造する場合、塗布層Ｄ１乃至Ｄ３が、例えばアクリル系ポリマーのような粘着性のある高分子基剤の場合は、そのまま貼り付けることができる。一方、上記塗布層（薬剤分散層）が、例えばシリコ−ン系エラストマーのように粘着性のない高分子基剤の場合は、薬剤分散層の張り合わせには別に粘着層が必要となる。この場合、図９（ｂ）における塗布層Ｄ２のみが薬剤分散層となり、塗布層Ｄ１，Ｄ３は粘着層となる。また、粘着性のない高分子基材の場合は、図８、図９に示す２層目のリリースライナーＲ’にシリコーン加工面をもつフィルムを使用すると、塗布層Ｄ２がリリースライナーＲ’貼り付いてしまい同ライナーＲ’のみを剥がすことができなくなるので、この場合ライナーＲ’の裏面Ｒ’ａにはシリコーンが張り付かない特殊加工が必要である。
上述の工程によれば、各塗布層の成分を変えることにより複数の薬効を有する経皮吸収治療用製剤を製造することができ、多層膜の一層を時間制御膜とすること等により時間制御可能な経皮吸収製剤を製造することができる。
尚、４層以上の構造のフィルムも同様の工程で製造することができる。
【００２０】
（３）裁断
次に、上述の工程で製造した貼り合わせフィルムＦを裁断して経皮吸収治療用の貼り製剤を製造する工程を説明する。
まず、バッキング膜供給リール２０に上記（１）又は（２）において製造した貼り合わせフィルムＦを取り付け、巻き取りリール２１に芯を取り付け、同フィルムＦの先端部を送りロール１６、案内軸２２ｃ，２２ｄを介して上記巻き取りリール２１の芯に貼り付ける。その後、連動スイッチをオンすると、巻き取りリール２１が矢印ｂ方向に回転駆動され、さらに裁断刃２４の駆動部２５が駆動され、裁断刃２４が矢印ｅ，ｆ方向に連続的に往復摺動する。すると、トムソン刃２４ａ，２４ｂが案内軸２２ｃ，２２ｄ間を矢印ｇ方向に通過するフィルムの２カ所を順次刳り貫きカットしていき、図３に示す貼り製剤２９，２９’を製造することができる。切断された製剤は受け皿２６に受け止められる。かかる貼り製剤２９，２９’は、切り込みＣ１，Ｃ２に沿ってリリースライナーＲのみを剥ぎ取り、薬剤の塗布層を患部等に張り付けることにより使用される。
【００２１】
本発明は上述のように、フィルム貼り合わせ部１２を本体１内の中央部に設け、乾燥経路１３を上記貼り合わせ部１２の周囲を囲む様に内向き渦巻き状に設け、乾燥経路１３の終端部に圧着ロール部を設ける構成としたので、製剤の高分子化や乾燥に時間を要する場合でも、乾燥経路として十分な長さを確保しながら装置全体をコンパクト、軽量にすることができ、研究室、病院等の施設内での持ち運びが容易である。尚、実際には、例えば通常のエレベータに入る程度の大きさとし、装置下部に車輪等を取り付けることにより手押し運搬を可能とするコンパクトな装置を実現することができる。また、各リールの回転速度を制御してリリースライナーＲの走行速度を変えることにより、薬剤塗布層の乾燥時間を容易に制御することができる。
【００２２】
また、薬液Ｄの成分等を変えることにより、各塗布層の成分の異なる多層膜の製剤も容易に製造することができ、臨床試験を含む各種の実験、研究用として一定品質の複数種の貼り製剤を容易に製造することができる。
また、乾燥経路１３を複数の案内ロール１１ａ乃至１１ｉを渦巻き状に配置することにより構成したので、各案内ロール１１ｂ乃至１１ｉへの薬液の付着を防止することができ、また途中の案内ロールへのリリースライナーＲの架け渡しを省略することにより乾燥経路の長さの短縮等、乾燥経路の長さを容易に変化させることができ、各種の製剤の製造に際して、薬剤塗布から乾燥に至る工程を中断することなく連続的に行うことができ、複数種の製剤を一定品質で製造することが可能となる。
【００２３】
また、従来は困難であった塗布層の膜厚も塗布厚調整ロール８により高精度にコントロールすることができるため、各種の実験、研究用として膜厚の異なる複数種の製剤を容易に製造することができる。
また、薬剤投入部６ｃの範囲を上記仕切板６ａ，６ｂにより調整可能であるため、薬液が極めて少量であっても何ら支障無く薬液Ｄの供給を行うことができ、薬剤塗布部４が極めて少量から中規模までの生産に対応可能である。また、リリースライナーＲへの薬剤の塗布層の幅Ｔも容易に調整することができる。
【００２４】
また、従来、機械生産で大量生産するには研究用としては量が多すぎるため、同一の貼り製剤を少量作成するには手作りに頼らざるを得なかったが、本装置によれば、少量であっても同一品質の貼り製剤を容易に製造することができる。  また薬剤の膜厚、乾燥時間等を一定に保つ等、製造時の条件を維持することができるため、同一品質の製剤を反復して製造することができ、再現性が保証され、製造される製剤の品質管理を行うことができる。
【００２５】
【発明の効果】
本発明は上述のように、乾燥経路を周回経路としてその終端部に圧着ロール部を設けたので、乾燥経路として十分な長さを確保しながら装置全体をコンパクト、軽量にすることができ、研究室、病院等の施設内での持ち運びが容易な経皮吸収治療用製剤の連続製造装置を実現することができる。また、フィルムの巻き取り速度を制御することにより、薬剤塗布層の乾燥時間も容易に制御することができる。
また、多層構造の製剤も容易に製造することができ、各種の実験、研究用として品質の一定した複数種の製剤を容易に製造することができる。
また、周回経路を構成する乾燥経路に沿って複数の案内ロール配置したので、各案内ロールへの薬液の付着を防止することができ、また乾燥経路の長さを変化させることができ、各種の製剤の製造に際して、薬剤塗布から乾燥に至る工程を中断することなく連続的に行うことができ、複数種の製剤を一定品質で製造することが可能となる。
また、塗布層の膜厚もコントロールすることができるため、臨床試験を含む各種の実験、研究用として膜厚の異なる複数種の製剤を容易に製造することができる。
また、薬剤塗布部に仕切板を設けたので、極めて少量から中規模までの生産に対応することができ、第１のフィルムへの薬剤の塗布層の幅も容易に調整が可能である。
また膜厚、乾燥時間等を一定に保つ等、製造時の条件を維持することができるため、同一品質の製剤を反復して製造することができ、再現性が保証され、製造される製剤の品質管理を行うことができる。
【図面の簡単な説明】
【図１】本発明に係る経皮吸収治療用製剤の連続製造装置の側面断面図である。
【図２】同上装置におけるリリースライナーＲに切り込みを入れる状態を示す要部斜視図である。
【図３】同上装置におけるフィルムの裁断状態を示す要部斜視図である。
【図４】（ａ）は同上装置における薬剤投入部の正面図、（ｂ）は（ａ）図のＡ−Ａ’断面図である。
【図５】同上装置における薬剤投入部の斜視図である。
【図６】（ａ）は単層膜のフィルムを製造する場合のフィルム貼り合わせ部の要部側面図、（ｂ）は単層膜のフィルムの断面図及び巻き取り方向を示す図である。
【図７】（ａ）はフィルムの巻替えを行う場合のフィルム貼り合わせ部の要部側面図、（ｂ）はその巻き取り方向を示す図である。
【図８】（ａ）は２層膜のフィルムを製造する場合のフィルム貼り合わせ部の要部側面図、（ｂ）は２層膜のフィルムの断面図及び巻き取り、引き出し方向を示す図である。
【図９】（ａ）は３層膜のフィルムを製造する場合のフィルム貼り合わせ部の要部側面図、（ｂ）は３層膜のフィルムの断面図及び巻き取り、引き出し方向を示す図である。
【符号の説明】
１      本体
２      リリースライナーロール
Ｒ      リリースライナー
３      供給リール
４      薬剤塗布部
６      薬剤受皿
６ａ，６ｂ  仕切板
６ｃ    薬剤投入部
７      薬剤塗布ロール
８      膜厚調整ロール
９      圧着回動ロール
１１ａ乃至１１ｉ  案内ロール
１３    乾燥経路
１６    送りロール
１７    圧着回動ロール
１９    カッター
２０    バッキング膜供給リール
２１    巻き取りリール
２４    裁断刃
２７    剥ぎ取りリール
【図１】
0003802175.tif 000002
【図２】
0003802175.tif 000003
【図３】
0003802175.tif 000004
【図４】
0003802175.tif 000005
【図５】
0003802175.tif 000006
【図６】
0003802175.tif 000007
【図７】
0003802175.tif 000008
【図８】
0003802175.tif 000009
【図９】
0003802175.tif 000010